(57)【要約】      （修正有）【課題】電源ケーブルを美しく処理して良好な外観を確保しつつ、電源ケーブルの取り回しの自由度を向上させることができるテーブル脚を提供する。【解決手段】天板１１を取り付け可能なテーブル脚１０であって、テーブル脚１０の土台となるベース部１２と、ベース部１２の上部に配置され、上方に延設された筒形状の支柱部１３と、支柱部１３の上部に配置され、天板１１を固定する受け板部１４とを備え、支柱部１３の上端部には、側方側に開口した上端側方開口部１５が形成されていると共に、支柱部１３の下端部には下方開口部１６が形成されており、家電製品の電源ケーブルを上端側側方開口部１５及び下方開口部１６を介して支柱部１３内に挿通できるようにした。【選択図】図１
0003230582.tif 000002
【実用新案登録請求の範囲】
【請求項１】
天板を取り付け可能なテーブル脚であって、
前記テーブル脚の土台となるベース部と、
前記ベース部の上部に配置され、上方に延設された筒形状の支柱部と、
前記支柱部の上部に配置され、前記天板を固定する受け板部とを備え、
前記支柱部の上端部には、側方側に開口した上端側方開口部が形成されていると共に、前記支柱部の下端部には下方開口部が形成されており、
家電製品の電源ケーブルを前記上端側側方開口部及び下方開口部を介して支柱部内に挿通できるようにしたことを特徴とするテーブル脚。
【請求項２】
前記下方開口部は、前記支柱部の下端部に下方に向かって開口した開口部により形成されていることを特徴とする請求項１記載のテーブル脚。
【請求項３】
前記支柱部の下端部には、側方側に開口した下端側方開口部が形成されていることを特徴とする請求項１記載のテーブル脚。
【請求項４】
前記上端側方開口部及び下端側方開口部は円形状であることを特徴とする請求項３記載のテーブル脚。
【請求項５】
前記上端側方開口部及び下端側方開口部は、同一方向に開口していることを特徴とする請求項３記載のテーブル脚。
【考案の詳細な説明】
【技術分野】
【０００１】
本考案は、テーブル脚に係り、特に、内部に電源ケーブルを配置可能なテーブル脚に関する。
【背景技術】
【０００２】
従来、一般の机や食卓等のテーブル上で、ノートパソコンやタブレット、携帯電話の充電器等を置いて使用する場合があった。
しかし、これらの電子機器の電源ケーブルは、テーブル上に配置されてコンセントに接続されるものであり、テーブル使用時にはケーブルが邪魔になり、また、外見上も良好ではない、という問題があった。
この点、特許文献１には、このような電源ケーブルが邪魔にならないように、テーブルの脚部の内部に、コンセントに電気的に接続されたケーブルを挿通させるための空洞が設けられていることが記載されているが、天板の枠部の内部にもケーブルが挿通されているため、電源ケーブルの取り回しの自由度が低下する、という問題があった。
【先行技術文献】
【特許文献】
【０００３】
【特許文献１】特開２０１８−１０２８５４号公報
【考案の概要】
【考案が解決しようとする課題】
【０００４】
そこで、本考案の課題は、電源ケーブルを外部から見えないように配置して外観品質を良好にしつつ、電源ケーブルの取り回しの自由度を向上させることができるテーブル脚を提供することにある。
【課題を解決するための手段】
【０００５】
上記課題達成のため、請求項１記載の考案にあっては、天板を取り付け可能なテーブル脚であって、前記テーブル脚の土台となるベース部と、前記ベース部の上部に配置され、上方に延設された筒形状の支柱部と、前記支柱部の上部に配置され、前記天板を固定する受け板部とを備え、前記支柱部の上端部には、側方側に開口した側方開口部が形成されていると共に、前記支柱部の下端部には下方開口部が形成されており、家電製品の電源ケーブルを前記上端側方開口部及び下方開口部を介して支柱部内に挿通できるようにしたことを特徴とする。
【０００６】
従って、本考案に係るテーブル脚にあっては、支柱部の上端部の上端側方開口部及び下方開口部を介して支柱部の内部に家電製品の電源ケーブルを挿通させることができる。
【０００７】
請求項２記載の考案にあっては、前記下方開口部は、前記支柱部の下端部に下方に向かって開口した開口部により形成されていることを特徴とする。
従って、本考案に係るテーブル脚にあっては、支柱部の上端部の側方開口部と支柱部の下端部に下方に向かって開口した下方開口部とに電源ケーブルを挿通させ、支柱部の内部に電源ケーブルを配置することができる。
【０００８】
請求項３記載の考案にあっては、前記支柱部の下端部には、側方側に開口した下端側方開口部が形成されていることを特徴とする。
従って、本考案に係るテーブル脚にあっては、支柱部の上端部の側方開口部と支柱部の下端部の側方開口部とに電源ケーブルを挿通させ、支柱部の内部に電源ケーブルを配置することができる。
【０００９】
請求項４記載の考案にあっては、前記上端側方開口部及び下端側方開口部は円形状であることを特徴とする。
【００１０】
従って、本考案に係るテーブル脚にあっては、側方開口部は、円形状の開口であるため、多角形状の開口と比較して、開口が電源ケーブルに与える負担を軽減させることができる。
【００１１】
請求項５記載の考案にあっては、前記上端側方開口部及び下端側方開口部は、同一方向に開口していることを特徴とする。
【考案の効果】
【００１２】
請求項１記載の考案にあっては、天板を取り付け可能なテーブル脚であって、前記テーブル脚の土台となるベース部と、前記ベース部の上部に配置され、上方に延設された筒形状の支柱部と、前記支柱部の上部に配置され、前記天板を固定する受け板部とを備え、前記支柱部の上端部には、側方側に開口した側方開口部が形成されていると共に、前記支柱部の下端部には下方開口部が形成されており、家電製品の電源ケーブルを前記上端側方開口部及び下方開口部を介して支柱部内に挿通できるようにしたことから、支柱部の上端部の側方開口部を通じて支柱部の内部に電源ケーブルを配置することができるため、電源ケーブルが邪魔にならなくなり、電源ケーブルを外部から見えないように取り回して配置し、テーブルの外観品質を低下させることなく見た目を良好にすることができる。
また、支柱部の上端部の側方開口部から配線を引き出すことができるので、従来の天板の内部に配線が配置されている場合と比較して、電源ケーブルの取り回しの自由度を確保することができる。
【００１３】
請求項２記載の考案にあっては、前記下方開口部は、前記支柱部の下端部に下方に向かって開口した開口部により形成されていることから、支柱部の上端部の側方開口部と支柱部の下端部の下方開口部とに電源ケーブルを挿通させ、支柱部の内部に電源ケーブルを配置することができるため、支柱部の上端部の側方開口部と支柱部の下端部の下方開口部とを通じて支柱部の内部に電源ケーブルを配置することができ、電源ケーブルが邪魔にならなくなり、電源ケーブルを、外観上良好に処理配置することができる。
【００１４】
請求項４記載の考案にあっては、前記側方開口部は、円形状の開口部であることから、多角形状の開口と比較して、開口部縁部が電源ケーブルに与える負担を軽減させることができるため、電源ケーブルの劣化を軽減させて長期の使用にも耐えることができる。
【００１５】
請求項５記載の考案にあっては、前記上端側方開口部及び下端側方開口部は、同一方向に開口していることから、電源ケーブルの支柱部内部での取り回し作業を容易に行うことが可能となる。
【図面の簡単な説明】
【００１６】
【図１】本考案に係るテーブル脚の一実施の形態における斜視図である。
【図２】本考案に係るテーブル脚の他の実施の形態における斜視図である。
【考案を実施するための形態】
【００１７】
以下、本考案に係る一実施の形態について、図面を参照しながら説明する。
図１に示すように、本実施の形態に係るテーブル脚１０は、天板１１を取り付け可能なテーブル脚１０であって、テーブル脚１０の土台となるベース部１２と、ベース部１２の上部に配置され、上下方向に延びた細長円筒形状の支柱部１３と、支柱部１３の上部に配置され、天板１１を固定する受け板部１４とを備え、支柱部１３の上端部には、側方側に開口した上端側方開口部１５が形成されていると共に、前記支柱部１３の下端部には、支柱部１３の下方に向かって開口した下方開口部１６が形成されている。
【００１８】
本実施の形態にあっては、支柱部１３の内径寸法は、一般の家庭用電気製品のプラグの幅寸法よりも大きい径寸法に形成されていると共に、側方開口部１５は同様に、一般の家庭用電気製品のプラグの幅寸法よりも大きい径寸法を有する円形に形成されている。
【００１９】
また、支柱１３は、４本の脚部材２０を有するベース部１２に支持固定されており、脚部材２０はそれぞれ、接地部材１７を先端部に有している。
【００２０】
従って、本実施の形態に係るテーブル脚１０にあっては、受け板部１４上に天板１１を配置固定し、例えば、天板１１上にパソコン１８を設置した場合には、パソコン１８の電源ケーブル１９を天板１１の端縁部から天板１１の裏面側に取り回し、支柱１３の上端部に開設された上端側方開口部１５から支柱１３内へ挿通させ、支柱１３の下端部に開口する下方開口部１６から外方へ取り出し、適宜、コンセントに接続して使用することができる。
【００２１】
以上説明したように、本実施の形態に係るテーブル脚１０にあっては、支柱部１３の上端部の側方開口部１５及び下方開口部１６を通じて支柱部１３の内部に電源ケーブル１９を挿通することができるため、電源ケーブル１９を支柱部１３内に、外部から視認できないように隠して配置することができ、電源ケーブル１９の取り回しに関する、テーブル全体の外観品質を向上させ見た目を良好にすることができると共に、電源ケーブル１９がテーブル使用時に使用者の、特に、足の邪魔にならないようにすることが可能となる。
【００２２】
従って、テーブルから離席、着席する際に、電源ケーブルに足を引っ掛けて転倒する、又はパソコンを引き倒す、等の偶然の事故を未然に防止することが可能となる。
また、支柱部１３の内径寸法は、一般の家庭用電気製品のプラグの幅寸法よりも大きい径寸法に形成されていると共に、側方開口部１５は同様に、一般の家庭用電気製品のプラグの幅寸法よりも大きい径寸法を有する円形に形成されていることから、使用者が電源ケーブル１９を支柱部１３に挿通させる際に、容易に電源ケーブル１９を支柱部１３に挿通させることができ、作業を迅速に行うことが可能となる。
【００２３】
また、支柱部１３の上端部の側方開口部１５から電源ケーブル１９を支柱部１３内に挿入して、支柱部１３内に挿通させることができるので、従来の、天板１１の内部に配線が配置されている場合と比較して、電源ケーブル１９の取り回しの自由度を向上させることができる。
【００２４】
図２は、本考案に係るテーブル脚の他の実施の形態を示す。
本実施の形態に係るテーブル脚２１にあっては、支柱部１３の下端部には、側方側に開口した下端側方開口部２２が形成されている。
本実施の形態にあっては、上端側方開口１５部及び下端側方開口部２２は円形状であって、かつ、上端側方開口部１５及び下端側方開口部２２は、同一方向に開口している。また、上端部の側方開口部１５と下端部の側方開口部２１とは、同一の形状の円形に形成されている。
【００２５】
従って、本実施の形態に係るテーブル脚２０にあっては、支柱部１３の上端側方開口部１５と下端側方開口部２１との間において、電源ケーブル１９を挿通させ、支柱部１３の内部に電源ケーブル１９を配置することができる。
その結果、本実施の形態に係るテーブル脚２０にあっては、利用者は、２つの側方開口部１５、２１に対して同一の方向から電源ケーブル１９の挿入、抜出作業を行うことができ、電源ケーブル１９を、より容易かつ迅速に支柱部１３内に挿通させることができる。
【００２６】
上述した各実施の形態にあっては、以下の変形が可能である。
（１）支柱部１３は、円筒形状の例で説明したが、断面多角形状の部材であってもよい。
（２）支柱部１３は、１本の例で説明したが、複数本であってもよい。
（３）側方開口部は、円形の開口の例で説明したが、多角形の開口であってもよい。
（４）側方開口部は、支柱部１３の上端部や下端部に形成する例で説明したが、中央部分に形成してもよく、部位には限定はない。
【００２７】
（５）上端部の側方開口部１５と下端部の側方開口部２１とは、同一の形状に形成されている例で説明したが、別の形状に形成されていてもよい。
（６）上端部の側方開口部１５と下端部の側方開口部２１とは、上下方向で重なる位置に形成されている例で説明したが、上下方向で重ならない位置に形成されていてもよい。
（７）ベース部１２は、４個の接地部材１７を備えている例で説明したが、３個や５個以上の接地部材１７を備えていてもよい。また、ベース部１２は、板状の部材や円形状の部材であってもよい。
（８）別の実施の形態に係るテーブル脚２０においては、下方開口部１６を形成してもよく、下方開口部１６を形成しなくてもよい。
【産業上の利用可能性】
【００２８】
本考案はテーブル脚に係ることから、広く産業上の利用可能性を有している。
【符号の説明】
【００２９】
１０  テーブル脚
１１  天板
１２  ベース部
１３  支柱部
１４  受け板部
１５  上端側方開口部
１６  下方開口部
１７  接地部材
１８  パソコン
１９  電源ケーブル
２０  テーブル脚
２１  側方開口部
２２  下端側方開口部
【図１】
0003230582.tif 000003
【図２】
0003230582.tif 000004
【手続補正書】
【提出日】令和2年11月30日(2020.11.30)
【手続補正１】
【補正対象書類名】実用新案登録請求の範囲
【補正対象項目名】請求項１
【補正方法】変更
【補正の内容】
【請求項１】
天板を取り付け可能なテーブル脚であって、
前記テーブル脚の土台となるベース部と、
前記ベース部の上部に配置され、上方に延設された筒形状の支柱部と、
前記支柱部の上部に配置され、前記天板を固定する受け板部とを備え、
前記支柱部の上端部には、側方側に開口した上端側方開口部が形成されていると共に、前記支柱部の下端部には下方開口部が形成されており、
家電製品の電源ケーブルを前記上端側方開口部及び下方開口部を介して支柱部内に挿通できるようにしたことを特徴とするテーブル脚。